(57)【要約】【課題】イベント案内とマルチメディアイベントガイドとを同一ディスプレイに出力表示し、両者をリンクするとともに、利用者がインタラクティブに使用できる電子掲示案内システムを提供する。【解決手段】イベント会場内の複数のエリアにおける個々のイベント内容を選択して知るためのタッチスイッチを取り付けた電子掲示パネル１を設ける。また、その電子掲示パネル１に、離れた距離から眺めるのに適した情報を表示する第１エリア（サインコンテンツエリア１１）と、画面に触れて操作をするのに適した情報を表示する第２エリア（ナビゲーションエリア１２及びインタラクティブコンテンツエリア１３）とを設け、各エリアにそのエリアに対応した情報を同時に表示するようにして、多数のイベントを同時に表示できるようにした。【選択図】　図４
2004012478.tif 000002
【特許請求の範囲】
【請求項１】
施設内の複数のエリアで催される個々のイベント内容や施設の内容或いはテナント情報等の項目を選択するためのタッチスイッチを設けた電子掲示パネルを備え、
前記電子掲示パネルに、この電子掲示パネルと離れた距離から眺めるのに適した情報を表示する第１エリアと、前記電子掲示パネルの画面に触れて操作をするのに適した情報を表示する第２エリアとを設け、
前記第１，第２エリアに、そのエリアに対応した情報を同時に表示するようにしたことを特徴とする電子掲示案内システム。
【請求項２】
前記第１エリアを、前記電子掲示パネルから離れた距離にいる利用者が前記電子掲示パネルの前面に立ちふさがる利用者の肩越しより、見ることができる高い位置に設けていることを特徴とする請求項１記載の電子掲示案内システム。
【請求項３】
前記第１エリアには、前記施設内の基本的フロア構成図とイベントの概要情報等を表示し、前記第２エリアには施設及びイベントの詳細情報、アクセスガイドの詳細情報等が表示可能であるとともに前記タッチスイッチを設け、前記タッチスイッチの項目を選択することにより前記第２エリアの前記詳細情報をさらに展開して表示させるようにしたことを特徴とする請求項１または２記載の電子掲示案内システム。
【請求項４】
前記第１エリアには、前記施設内の基本的フロア構成図とイベントの概要情報等を表示し、前記第２エリアには施設及びイベントの詳細情報、アクセスガイドの詳細情報等が表示可能であるとともに前記タッチスイッチを設け、前記タッチスイッチの項目を選択することにより前記第２エリアに前記詳細情報をインタラクティブ形に表示させるようにしたことを特徴とする請求項１または２記載の電子掲示案内システム。
【請求項５】
前記電子掲示パネルの設置位置と前記電子掲示パネルの表示面に表示する前記基本的フロア構成図の方向を略一致させて表示するようにしたことを特徴とする請求項３または４記載の電子掲示案内システム。
【請求項６】
前記タッチスイッチの項目を選択すると、その項目と関連している位置が前記第１エリア内の基本的フロア上に示されることを特徴とする請求項５記載の電子掲示案内システム。
【請求項７】
前記タッチスイッチの項目を選択すると、その項目に関連した動画や静止画のスライドショーが前記第２エリア内に表示されるようにしたことを特徴とする請求項１から５のいずれかに記載の電子掲示システム。
【請求項８】
前記第１エリアの基本的フロアの各部を、その各部に対応させて動画または静止画により順に、前記第１エリアまたは第２エリア内に表示するようにしたことを特徴とする請求項２から６のいずれかに記載の電子掲示案内システム。
【請求項９】
前記情報表示を、日本語と外国語のいずれかに選択切り替えできるようにしたことを特徴とする請求項１から８のいずれかに記載の電子掲示案内システム。
【請求項１０】
前記電子掲示パネルに、広告映像エリアを設けたことを特徴とする請求項１記載の電子掲示案内システム。
【発明の詳細な説明】
【０００１】
【発明の属する技術分野】
本発明は、イベント会場、劇場などの各種施設内に設置され、施設内の配置図案内、内容紹介等をインタラクティブな環境で操作できるマルチメディア形の電子掲示案内システムに関するものである。
【０００２】
【従来の技術】
各種施設、例えば複合商業施設（イベント会場、ホテル、デパート、映画館、劇場、テーマパーク等）や公共文化施設（役場、庁舎、ミュージアム等）等の各種催し会場等に設置される掲示板は、イベント名、日程、会場、フロア案内等のイベント案内を、ポスター、掲示板、ディスプレイを用いた電子掲示板等にまとめて掲示され、一方的にガイドされているのが現状である。また、多数のイベントが同時開催されるような場所に設置され、かつ、利用者（来訪者）がインタラクティブに使用できる電子掲示案内システムは、存在しない。
【０００３】
【発明が解決しようとする課題】
しかし、大規模複合施設が、この施設に来訪した施設利用者に対して配慮すべき点は、上記施設利用者が容易に施設の概要を把握し、目的の場所を探し到達させることである。既存のフロアマップは、施設全体の中で大まかな位置は把握できるが、少し詳しい内容は実際に行ってみなくてはわからない。また、複数言語を記載すると、文字が小さくなるから、上記のような既存のフロアマップではおのずと限界があった。また、既存のＰＣを流用した案内表示ツールとしては、例えばＫＩＯＳＫ端末があるが、この端末は、あくまでもプライベートな個人向け用の端末であり、一度に表示できる情報の内容にも限界があった。
【０００４】
本発明はこのような事情に鑑みなされたもので、その目的はイベント案内とマルチメディアイベントガイドとを同一ディスプレイに出力表示し、両者をリンクするとともに、利用者（来訪者）がインタラクティブに使用できる電子掲示案内システムを提供するものである。
【０００５】
【課題を解決するための手段】
本発明の電子掲示板案内システムは、施設内の複数のエリアで催される個々のイベント内容や施設の内容或いはテナント情報等の項目を選択するためのタッチスイッチを設けた電子掲示パネルを備え、前記電子掲示パネルに、この電子掲示パネルと離れた距離から眺めるのに適した情報を表示する第１エリアと、前記電子掲示パネルの画面に触れて操作をするのに適した情報を表示する第２エリアとを設け、前記第１，第２エリアに、そのエリアに対応した情報を同時に表示するようにした構成を有している。上記施設には、例えば複合商業施設（イベント会場、ホテル、デパート、映画館、劇場、テーマパーク等）や公共文化施設（役場、庁舎、ミュージアム等）等、催物が行なわれる各種の施設が含まれる。また、上記「個々のイベント内容等」には、個々のイベントや施設の案内、或いはテナント情報等の情報が含まれる。この構成により、多数のイベントが同時に開催されていても、その各イベントを同一パネル上に同時に表示することができる。また、タッチスイッチで各イベントがリンクされていて、そのタッチスイッチでイベントを選択することにより、各イベントに対応した詳細情報を見ることができる。さらに、離れた位置から第１エリアの情報を見て概略をつかみ、第２エリアに近づいてさらに詳細な情報を見て、その詳細な情報を知ることができることとなる。
【０００６】
本発明の電子掲示案内システムは、前記第１エリアを、前記電子掲示パネルから離れた距離にいる利用者が前記電子掲示パネルの前面に立ちふさがる利用者の肩越しに見ることができる高い位置に設けている構成を有している。この構成により、先に並んで第２エリアの詳細情報を見ている利用者がいても、後から来た利用者は前にいる利用者の肩越しから第１エリアに表示されている情報を概略をつかんでおくことができる。そして、自分が第２エリアを操作する順番が来たら、第１エリアから得られた情報を発展させる形で操作することができる。これにより、第１エリアを操作するときの時間を短縮させて、短時間で多数の利用者をさばくことができ、待ち時間を省くことができることとなる。
【０００７】
本発明の電子掲示案内システムは、前記第１エリアに前記施設内の基本的フロア構成図とイベントの概要情報等を表示し、前記第２エリアには施設及びイベントの詳細情報、アクセスガイドの詳細情報等が表示可能であるとともに前記タッチスイッチを設け、前記タッチスイッチの項目を選択することにより前記第２エリアの前記詳細情報をさらに展開して表示させる構成にしたものである。この構成により第２エリアのタッチスイッチの項目を選択すると第２エリアのさらに詳細情報を表示させて見ることができることとなる。
【０００８】
本発明の電子掲示案内システムは、前記第１エリアに、前記施設内の基本的フロア構成図とイベントの概要情報等を表示し、前記第２エリアには施設及びイベントの詳細情報、アクセスガイドの詳細情報等が表示可能であるとともに前記タッチスイッチを設け、前記タッチスイッチの項目を選択することにより前記第２エリアに前記詳細情報をインタラクティブ形に表示させるように構成したものである。この構成により、第２エリアのタッチスイッチの項目を選択すると第２エリアの詳細情報をインタラクティブに次々とさらに発展させて見ることができることとなる。
【０００９】
本発明の電子掲示案内システムは、前記電子掲示パネルの設置位置と前記電子掲示パネルの表示面に表示する前記基本的フロア構成図の方向を略一致させて表示するように構成したものである。この構成により、電子掲示パネルに表示されている基本的フロア構成図を現在地に対応させることにより、目的とする会場の方向、位置等を簡単に把握することができることとなる。
【００１０】
本発明の電子掲示案内システムは、前記タッチスイッチの項目を選択すると、その項目と関連している位置が前記第１エリア内の基本的フロア上に示される構成としている。この構成では、タッチスイッチの項目と第１エリア内の基本フロア上の位置とのリンクがとれる。したがって、タッチスイッチの項目と基本的フロア上の位置との対応が簡単にとれ、理解を容易にすることができることとなる。
【００１１】
本発明の電子掲示案内システムは、前記タッチスイッチの項目を選択すると、その項目に関連した動画や静止画のスライドショーが前記第２エリア内に表示される構成にしたものである。この構成では、動画や静止画のスライドショーを用いてより効果的な案内をすることができることとなる。
【００１２】
本発明の電子掲示案内システムは、前記第１エリアの基本的フロアの各部を、その各部に対応させて動画または静止画により順に、前記第１エリアまたは第２エリア内に表示するように構成したものである。この構成では、動画や静止画のスライドショーを用いて各エリアの案内をより効果的に行うことができることとなる。
【００１３】
本発明の電子掲示案内システムは、日本語と外国語のいずれかに選択切り替えできる構成にしたものである。この構成では、利用者に応じて情報表示を切り替えることによって、日本語または外国語で表示し、案内することができることとなる。
【００１４】
本発明の電子掲示案内システムは、前記電子掲示パネルに、広告映像エリアを設けた構成としたものである。この構成によれば、広告映像エリアを利用して、効果的に広告宣伝を行うことができることとなる。
【００１５】
【発明の実施の形態】
以下、本発明の実施の形態について、図面を用いて説明する。図１は本発明による電子掲示案内システムにおける一実施の形態に使用される表示画面端末（以下、「電子掲示パネル」という）の一例を示す斜視図、図２は電子掲示案内システムの要部構成ブロック図、図３は電子掲示パネル制御装置の要部構成ブロック図である。上記電子掲示案内システムは各種施設に設定され、この「施設」には、例えば複合商業施設（イベント会場、ホテル、デパート、映画館、劇場、テーマパーク等）や公共文化施設（役場、庁舎、ミュージアム等）等、催物が行なわれる各種の施設が含まれる。なお、以下においては電子掲示案内システムはイベント会場に設置されているものとして説明する。
【００１６】
図２において、この電子掲示案内システムは、電子掲示パネル１、電子掲示パネル制御装置２、メンテナンス端末装置３、メンテナンス表示装置４、映像・音声再生装置５等で構成されており、複数の電子掲示パネル制御装置２が、サーバーを構成しているメンテナンス端末装置３及びメンテナンス表示装置４とＬＡＮ等の通信回線６で接続されている。
【００１７】
電子掲示パネル１は、例えばＰＤＰ（プラズマディスプレイ）等のマトリックス型ディスプレイから構成されている。電子掲示パネル制御装置２は、電子掲示パネル１に表示出力するイベントの予定、イベントの内容、イベントガイド、イベント会場内の配置案内、テナント情報等の情報を、映像・音声再生装置５を介して映像及び音声信号として生成出力する。サーバーとして機能しているメンテナンス端末装置３は、イベントの予定、イベントの内容、イベントの案内、表示モード等を登録操作し、関連データを記憶させ、上記電子掲示パネル制御装置２が必要とする関連データを通信出力する。メンテナンス表示装置４は、メンテナンス端末装置３の画像および音声信号を表示出力する。映像・音声再生装置５は、記録メディアに記録された画像および音声信号を再生出力する映像・再生手段である。なお、上記電子掲示パネル１の一例として挙げたＰＤＰをタッチパネル仕様とし、縦型に設置することもできる。
【００１８】
電子掲示パネル制御装置２は、図３に示すように、例えばイベントの名称等を選択操作するための選択操作部２２と、イベントの名称、日時、開催会場や会場内配置図等を記憶しておくデータメモリ部２３と、電子掲示パネル１に表示する壁紙データや特殊効果のデータ等を記憶しておく表示データメモリ部２４と、選択操作部２２で選択操作された条件を記憶させる検索条件メモリ２５と、操作選択・記憶された条件により検索演算出力する検索演算部２６と、検索演算結果によりデータメモリ部２３より所要のデータを検索出力する検索部２７と、画像生成部２８と、生成出力された画像信号を電子掲示パネル１に出力する画像信号出力部２９と、検索出力データより音声信号を生成出力する音声生成部３０と、生成出力された音声信号を電子掲示パネル１に出力する音声信号出力部３１と、通信回線６を経由してメンテナンス端末装置３とデータの送受信を行う通信制御部３２と、外部より画像信号を入力する画像入力部３３と、映像再生装置５を外部制御する外部制御部３４と、電子掲示パネル１に入力した複数の画像および音声信号を外部より切換制御する画像切換制御部３５と、動作シーケンスのプログラムを記憶しているシステムメモリ３６と、システムメモリ３６の動作シーケンスに沿って電子掲示パネル制御装置２の全体の制御を行う制御部３７等で構成されている。なお、選択操作部２２は、電子掲示パネル１の表示面に貼り付けられている透明タッチパネル（不図示）に接続されており、電子掲示パネル１の表示面に表示されるキーを利用者（来訪者）が指等で触れると、その箇所の信号が選択操作部２２に送られ、利用者がどのキーに触れたかが認識できるようになっている。
【００１９】
電子掲示パネル１は、図１に外観構造を斜視図で示し、図４にその表示面のイメージ図を示しているように、大きくは、イベント会場における基本的フロア構成として示されているフロア全体の配置図及びそのフロアーの概要等を説明したサインコンテンツエリア１１と、ガイドメニュー等を表示しているナビゲーションエリア１２及びインタラクティブコンテンツエリア１３とに区分けされている。また、本例では、タッチパネルスイッチは、ナビゲーションエリア１２とインタラクティブコンテンツエリア１３にだけ設けており、さらにサインコンテンツエリア１１は上側の高い位置で、ナビゲーションエリア１２とインタラクティブコンテンツエリア１３はサインコンテンツエリア１１の下側の低い位置で、互い左右に並んだ状態にして設けられている。なお、ナビゲーションエリア１２とインタラクティブコンテンツエリア１３の位置は、背の低い子供でも操作が可能な位置に設定されている。したがって、ナビゲーションエリア１２とインタラクティブコンテンツエリア１３の上側で、高い位置に設けられているサインコンテンツエリア１１は、電子掲示パネル１の前に他の利用者が立ってナビゲーションエリア１２とインタラクティブコンテンツエリア１３を見ている状態であっても、後の利用者は、その前の利用者の肩越しの状態でサインコンテンツエリア１１内のコンテンツを見ることができる。また、この電子掲示パネル１のサインコンテンツエリア１１に表示される基本的フロアの配置図は、実際のフロアにおける向きと一致させて表示させている。これは、表示されているフロア構成図が現在地から見た風景に対応していると、利用者は目的とする会場の方向、位置等を簡単に把握することができることになる。
【００２０】
ナビゲーションエリア１２には、フロアガイドの項目を選択するためのフロアガイド項目選択部１２ａと、詳細なイベント内容を見るためのイベントガイド選択部１２ｂが設けられている。その項目選択部１２ａ及びイベントガイド選択部１２ｂは、それらの選択部１２ａ，１２ｂを利用者が指で触れると、それが表示面の表面に配設されているタッチスイッチで検出され、これが電子掲示パネル制御装置２に送られ、さらなる詳細情報がインタラクティブ形に展開されてインタラクティブコンテンツエリア１３に表示されるようになっている。
【００２１】
図５の（ａ）〜（ｃ）は、本実施の形態における電子掲示案内システムの利用方法を説明するための図である。図５を用いて利用の仕方を説明すると、まず利用者は、同図（ａ）に示すように、電子掲示パネル１の前で離れた位置に立ち、離れた位置からサインコンテンツエリア１１を眺める。そして、初めてイベント会場に訪れた利用者（来訪者）は、ここでサインコンテンツエリア１１に表示されている基本的フロア構成図、及び内容情報を見てイベント会場の概要を把握する。このとき、インタラクティブコンテンツエリア１３の予め決められている広告映像エリアには、必要により、広告宣伝用の動画または静止画のスライド表示が行われる。また、イベント情報の概要が把握されたら、利用者はナビゲーションエリア１２のタッチスイッチを操作可能な位置まで電子掲示パネル１に向かって進み、同図（ｂ）に示すように電子掲示パネル１の前に立つ。そして、ナビゲーションエリア１２内に設けられている項目メニュー、あるいはイベントガイドメニーを押下すると、その押下をする毎に次の選択メニュー等が次々とナビゲーションエリア１２あるいはインタラクティブコンテンツエリア１３に展開されて情報が詳細表示される。したがって、利用者は、その詳細表示された情報を見ることによって、さらに詳細な情報を得ることができる。
【００２２】
また、既に一人の利用者が利用している後から、次の利用希望者が来た場合、同図（ｃ）に示すように、後から来た利用希望者は、前の利用者の後に離れた距離からサインコンテンツエリア１１を眺める。この場合、サインコンテンツエリア１１は、ナビゲーションエリア１２とインタラクティブコンテンツエリア１３の上側で、高い位置して設けられているので、電子掲示パネル１の前に利用者が立って、ナビゲーションエリア１２とインタラクティブコンテンツエリア１３を見ていても、後の利用者は、その前の利用者の肩越しにサインコンテンツエリア１１内のコンテンツを見て、予め施設内の情報を把握しておくことができる。そして、前の利用者の利用が終了したら、後の利用者が前に進み、ナビゲーションエリア１２内に設けられている項目メニュー、あるいはイベントガイドメニーを触れると、その触れる度毎に次の選択メニュー等がナビゲーションエリア１２あるいはインタラクティブコンテンツエリア１３に次々と展開されて情報が詳細表示されることになる。
【００２３】
次に、図６は、本実施の形態における電子掲示案内システムの一動作例を示すものである。まず、利用者が、サインコンテンツエリア１１内のコンテンツを見てイベント会場の概要を知る。このとき、前に操作している人がいない場合で、かつ前の人が操作してから３分以上経っている場合は、インタラクティブコンテンツエリア１３には、イベントや施設案内の他に、広告用として動画または静止画のスライド等が表示されている。なお広告は、イベント会場の主催者広告であっても、スポンサー企業の広告であっても良い。また、利用者がイベント会場の概要を知り、さらに詳細な内容を知るために電子掲示パネル１に近づき、ナビゲーションエリア１２のフロアガイド項目選択部１２ａに触れて選択すると、それまでインタラクティブコンテンツエリア１３に表示されていた広告が止まり、続いてインタラクティブコンテンツエリア１３内にフロア情報が表示される（ステップＳ１）。また、このフロア情報は、各階毎に、その各階を瞬時に紹介するイメージ画像が拡大されて表示される。すなわち、ステップＳ１−１では１階の紹介、ステップＳ１−２では２階の紹介、ステップＳ１−３では３階の紹介、ステップＳ１−４では４階の紹介を、イメージ画像を拡大させて瞬時に紹介する。このステップＳ１−１〜Ｓ１−４の動作は、次の操作が行われない３分間の間は繰り返す。なお、次の操作が３分間の間、行われない場合は、キャンセルされたものとして初期画面に復帰し、イベントや施設案内の他に、広告用として動画または静止画のスライド等が表示される。
【００２４】
ステップＳ１の画面がインタラクティブコンテンツエリア１３に表示されている状態で、利用者がインタラクティブコンテンツエリア１３内の画面に触れると、ステップＳ２で次のインタラクティブなフロアガイドメニューが表示される。このフロアガイドメニューでは、「施設のみどころ」、「おすすめ」、「今日の催し」等の選択項目が表示されるとともに、日本語以外に英語での案内を希望する利用者には英語を選択する「Ｅｎｇｌｉｓｈ」選択の項目が表示される。「Ｅｎｇｌｉｓｈ」の選択をした場合は、英語表示と英語での音声ガイダンスが流れる。
【００２５】
ステップＳ２で、メニー項目が選択されると、その選択項目に応じてステップＳ３１，Ｓ３２，Ｓ３３へと進む。すなわち、ステップＳ２で「施設のみどころ」の項目を選択した場合はステップＳ３１へ進み、ここでは「施設ガイドメニュー」が表示される。ステップＳ２で「おすすめ」の項目を選択した場合はステップＳ３２へ進み、ここでは「おすすめ活動メニュー」が表示される。ステップＳ２で「今日の催し」の項目を選択した場合はステップＳ３３へ進み、ここでは「イベント一覧」が表示される。
【００２６】
さらに、ステップＳ３１内の項目を選択した場合では、ステップＳ３１−２へ移行して、その選択した項目に対する施設詳細ページが順々に展開されてインタラクティブ形に表示される。ここでは、例えば施設の詳細を複数ページ（３ページまで）で紹介する。また、テキスト形式で、かつ静止画（写真）を使用したり、ＭＰＥＧ１形式の動画を３０秒程流したり、あるいは場所をサインコンテンツエリア１１内のフロア配置図に表示したりする。
【００２７】
さらに、ステップＳ３２内の項目を選択した場合では、ステップＳ３２−２へ移行して、その選択した項目に対する「おすすめ活動」のメニー項目が表示され、利用できることの詳細内容や場所を紹介する情報が順々に展開されてインタラクティブ形に表示される。ここでもテキスト形式で、かつ静止画（写真）を使用したり、場所をサインコンテンツエリア１１内のフロア配置図に表示したりする。
【００２８】
さらに、ステップＳ３３内の項目を選択した場合では、ステップＳ３３−２へ移行して、その選択した項目に対する「イベント詳細」の詳細項目が表示される。ここでは、開催中のイベントをテキスト形式で、かつ静止画（写真）を使用したり、場所をサインコンテンツエリア１１内のフロア配置図に表示したりする。また、その詳細情報は、変更がある毎に更新される。
【００２９】
したがって、本実施の形態における電子掲示板案内システムによれば、イベント会場内の複数のエリアにおける個々のイベント内容や施設の内容或いはテナント情報等を選択して知るためのタッチスイッチを設けた電子掲示パネル（ディスプレイ）１を備え、その電子掲示パネル１に、この電子掲示パネル１と離れた距離から眺めるのに適した情報を表示する第１エリアであるサインコンテンツエリア１１と、電子掲示パネル１の画面に触れて操作をするのに適した情報を表示する第２エリアであるナビゲーションエリア１２及びインタラクティブコンテンツエリア１３とを設け、各エリア（１１，１２，１３）にそのエリアに対応した情報を同時にマルチメディア表示するようにしているので、多数のイベントが同時に開催されていても、その各イベントを同一の電子掲示パネル１上に同時に表示させることができる。また、タッチスイッチで各イベント会場がリンクされていて、そのタッチスイッチを指で触れてイベント会場を選択することにより、そのイベント会場に対応した詳細情報を見ることができる。これにより、その場所において、イベント会場内の情報の多くを知ることができる。さらに、離れた位置からサインコンテンツエリア１１の情報を見て概略をつかみ、ナビゲーションエリア１２及びインタラクティブコンテンツエリア１３に近づいてさらに詳細な情報を見て、その詳細な情報を知ることができることになるので、イベント内容の把握と、場所等を簡単に知ることができる。また、その電子掲示パネル１に広告等を組み込むことができるので、効果的な広告宣伝を行うことができる。
【００３０】
【発明の効果】
以上説明したように、本発明の電子掲示案内システムによれば、複数のイベント案内を同一ディスプレイに表示し、かつ両者をリンクし、インタラクティブ形式で表示するようにしているので、本発明の課題とした内容を十分に満たした電子掲示板案内システムを構築することができるという、きわめてすぐれた効果が期待できるものである。
【図面の簡単な説明】
【図１】本発明による電子掲示案内システムにおける一実施の形態に使用される電子掲示パネルの斜視図
【図２】本実施の形態における電子掲示案内システムの要部構成ブロック図
【図３】本実施の形態における電子掲示パネル制御装置の要部構成ブロック図
【図４】本実施の形態における電子掲示パネルの表示面のイメージ図
【図５】本実施の形態における電子掲示案内システムの動作説明図
【図６】本実施の形態における電子掲示案内システムの動作説明用のフロー図
【符号の説明】
１　電子掲示パネル
１１　サインコンテンツエリア
１１ａ〜１１ｄ　フロアー
１１ｅ〜１１ｈ　概略内容
１２　ナビゲーションエリア
１２ａ　フロアガイド項目選択部
１２ｂ　イベントガイド選択部
１３　インタラクティブコンテンツエリア
【図１】
2004012478.tif 000003
【図２】
2004012478.tif 000004
【図３】
2004012478.tif 000005
【図４】
2004012478.tif 000006
【図５】
2004012478.tif 000007
【図６】
2004012478.tif 000008